(57)【要約】【課題】  本発明は、溜め流し排水でも連続した排水でもいずれの排水に対してもサイフォン開始時期を早め、十分な排水能力をもつシステムを提供することを目的とする。【解決手段】  各階を貫く排水立管と、各階の水周り器具から導かれる器具排水管と、排水立管へ器具排水管を接続する合流部継手とからなり、複数の器具排水管を合流することなく排水立管へ導き、前記合流部継手への合流レベルを排水階床スラブのレベルより下げた排水システムであって、一度に多量の排水量が想定される水回り器具のトラップに複数本の器具排水管を備え、この器具排水管におけるサイフォン現象の発生時期をずらしたサイフォン排水システム。１‥排水立管、２ａ‥水周り器具、３ａ、３ｂ‥器具排水管、３ａ０ 、３ｂ０ ‥器具排水管の管先端、４‥合流部継手、５‥床スラブ。【選択図】図２
2006214203.tif 000002
【特許請求の範囲】
【請求項１】
各階を貫く排水立管と、各階の水周り器具から導かれる器具排水管と、排水立管へ器具排水管を接続する合流部継手とからなり、複数の器具排水管を合流することなく排水立管へ導き、前記合流部継手への合流レベルを排水階床スラブのレベルより下げた排水システムであって、一度に多量の排水量が想定される水回り器具のトラップに複数本の器具排水管を備え、この器具排水管におけるサイフォン現象の発生時期をずらしたことを特徴とするサイフォン排水システム。
【請求項２】
複数本の器具排水管を備える水回り器具が、浴槽である請求項１記載のサイフォン排水システム。
【請求項３】
器具排水管の管径が、同じ径である請求項１又は２記載のサイフォン排水システム。
【請求項４】
器具排水管の管先端が、排水面に対して上下に食い違っている請求項１乃至３いずれか１に記載のサイフォン排水システム。
【請求項５】
各階を貫く排水立管と、各階の水周り器具から導かれる器具排水管と、排水立管へ器具排水管を接続する合流部継手とからなり、複数の器具排水管を合流することなく排水立管へ導き、前記合流部継手への合流レベルを排水階床スラブのレベルより下げた排水システムであって、一度に多量の排水量が想定される水回り器具のトラップに同じ管径の複数本の器具排水管を備え、トラップ内の水面に対して器具排水管の管先端を上下にずらし、この器具排水管におけるサイフォン現象の発生時期をずらしたことを特徴とするサイフォン排水システム。
【発明の詳細な説明】
【技術分野】
【０００１】
本発明はサイフォン排水システムの継手部分の改良に関するものである。
【背景技術】
【０００２】
従来の水回り器具からの器具排水は、排水管に若干の勾配を付けて敷設し、この勾配によって排水に流下する力を与え、これを排水立管との合流継手に導くものである。この勾配の形成は必要要件とされ、長い距離の配管にあってはその分敷設作業の時間とコストがかかり、床も余分の高さを維持しなくてはならないという問題点がある。
【０００３】
かかる欠点を改良するシステムとして、本出願人は既に器具排水をサイフォン方式とした技術を提案している（特許文献１）。このサイフォン排水システムは水回り器具からの排水システムとして最も優れたものであり、一つの水回り器具からの排水は排水過程において排水立管までの間に他の器具排水管と合流する部位がなく、しかも排水はサイフォン力を利用するため排水管に特別勾配の設定が不要であり、逆に、若干の上り勾配があっても排水が十分可能となったものである。更には、このために管材は２０Ａ程度の比較的細い管材でよく、更に又、かかる管材に制限はなく、例えばポリブテン管等の可撓管が最適である。
【０００４】
【特許文献１】特開２０００−２９７４４７号公報
【０００５】
ここでサイフォン排水システムの概要を図１に示すが、各階を貫く排水立管１と、各階の水周り器具（浴槽）２から導かれる器具排水管３と、排水立管１へ器具排水管３を接続する合流部継手４とからなる排水システムであって、器具排水管３同士を途中で合流することなくそのまま排水立管１へ導くもので、前記合流部継手４への合流レベルを排水階床スラブ５のレベルより下げ、できれば１階分程度（Ｈｓ：サイフォン水頭）合流部継手を下げ、これによって器具排水管３内の流体にサイフォン流れを与えてから排水立管１に合流させるシステムである。
【０００６】
特に水回り器具２からの排水の流れについて言えば、排水口水頭Ｈｐのポテンシャルエネルギ−を利用して無勾配の器具排水管３へ水を流し、次いで、サイフォン水頭Ｈｓのポテンシャルエネルギ−にて器具排水管３内の水を誘導し、排水立管１へ導くシステムである。このため、器具排水管３に勾配がなくとも、逆に若干の逆勾配があったとしてもＨｓのポテンシャルエネルギ−によって器具排水管３内の水にサイフォン力を与えることができたものである。
【０００７】
前記サイフォン排水システムの場合、コストの面もあるが、排水流量の関係で、管径が２０Ａ程度のものが用いられている。
【０００８】
さて、排水にあっては、浴槽等に貯水後に排水する溜め流し排水と、貯水することなく、蛇口から連続して流れる排水があるが、前記サイフォンシステムは後者の排水を主目的とする傾向があり、排水流量が大きく変化する溜め流し排水の際には問題点が発生するケ−スも考慮しなくてはならない。
【発明の開示】
【発明が解決しようとする課題】
【０００９】
本発明は、前記した溜め流し排水でも連続した排水でもいずれの排水に対してもサイフォン開始時期を早め、十分な排水能力をもつシステムを提供することを目的とするものである。
【課題を解決するための手段】
【００１０】
本発明の要旨は、各階を貫く排水立管と、各階の水周り器具から導かれる器具排水管と、排水立管へ器具排水管を接続する合流部継手とからなり、複数の器具排水管を合流することなく排水立管へ導き、前記合流部継手への合流レベルを排水階床スラブのレベルより下げた排水システムであって、一度に多量の排水量が想定される水回り器具のトラップに複数本の器具排水管を備え、この器具排水管におけるサイフォン現象の発生時期をずらしたことを特徴とする排水システムである。
【発明の効果】
【００１１】
本発明は上記の構成を採用したため、浴槽等に貯水後に排水する溜め流し排水であっても、蛇口から連続して流れる連続排水であっても、いずれもサイフォン排水が確実に行われるものであって、特に、排水流量が大きく変化する溜め流し排水であっても全く問題が生じないシステムとなったものである。
【発明を実施するための最良の形態】
【００１２】
本発明は、サイフォン力を利用した排水システムにおいて、排水流量の変化に対応した排水システムを提供できたものであり、溜め流し排水或いは連続排水のいずれかを主として配管を行うと、他方の排水に支障を来すことが指摘されていたところ、本発明は特に問題となりそうな水回り器具における器具排水管を複数本用い、その先端の位置関係を特定することによってサイフォン機能を時間差をもって発生させることができることとなったものであり、これによっていずれの排水状態でも十分な排水機能を発揮できるようにしたものである。
【００１３】
そして、主として問題となる水回り器具としては、一度に大量の水が排出される浴槽であり、この排水トラップに対して複数本の器具排水管を備えるものであり、用いられる複数本の器具排水管の管径は特に区別することは不要であって、管径が同じ径であるのが取扱上好ましい。
【００１４】
そして、複数本の器具排水管におけるサイフォン現象の発生時期をずらすには、排水管の排水が入ってくる側の先端が排水面に対して上下に食い違がいとさせ、各排水管が満流になる時期をずらすことが好ましい方法である。
【実施例】
【００１５】
ここで、本発明を更に図２をもって具体的の述べる。符号１〜５は図１に定義したと同様のものであり、これらについては詳細な説明は省略するが、各階を貫く排水立管１と、各階の水周り器具２から導かれる器具排水管３と、排水立管１へ器具排水管３を接続する合流部継手４とからなり、複数の器具排水管３を合流することなく排水立管１へ導き、前記合流部継手４への合流レベルを排水階床スラブ５のレベルより下げた排水システムであって、一度に多量の排水量が想定される水回り器具（浴槽）２ａのトラップ７に太径の短管（５０Ａ）７ａが備えられ、この短管７ａ内に同じ管径（２０Ａ）の２本の器具排水管３ａ、３ｂを接続したもので、トラップ７（或いは短管７ａ）内の排水の水面に対して器具排水管３ａ、３ｂの管先端３ａ０ 、３ｂ０ を上下配置し、これを前後にずらし、この器具排水管３ａ、３ｂ内に入り込む排水の満流の時期に差を設け、これによってサイフォン現象の発生時期をずらした排水システムである。
【００１６】
更に、器具排水管にサイフォン力を付与する作用についてはＨｓのポテンシャルエネルギ−によってもたらされることは前記した通りでありここでは説明を省略する。
【００１７】
さて、かかる排水システムにあって、流量の少ない連続排水時には下側の管３ｂのみを使用して排水に供されるものであり、一方、流量の多い溜め流し排水時には、下側の管３ｂは満流となることは勿論、上側の管３ａも又満流となり、この管３ａもサイフォン現象を生じることになる。即ち、排水管３が太い管だと、サイフォンの効き初めが遅くなるが、細い管を利用しサイフォンの開始を早め、排水流量が増えた場合には、両方の管が満流となり両管共にサイフォン排水となるものである。
【００１８】
図３は本発明の別例であり、例えば流し台２ｂのトラップ７に適用した例である。符号１〜７は前記と同様であり説明は省略する。流し台２ｂのトラップ７に同じ管径（２０Ａ）の２本の器具排水管３ａ、３ｂを接続したもので、トラップ７内の排水の水面に対して器具排水管３ａ、３ｂの管先端３ａ０ を上方に、管先端３ｂ０ を下方に配置したものである。従って、器具排水管３ｂ側が初めに満流流れとなり、次いで排水の水面が器具排水管３ａの管先端３ａ０ よりも高くなると排水管３ａも満流流れとなるものである。このように、排水管内に入り込む排水の満流の時期に差を設け、これによってサイフォン現象の発生時期をずらすことができたものである。
【産業上の利用可能性】
【００１９】
２本の排水管を用いてなる排水システムはいずれの水回り器具にも採用可能であり、しかも連続的な排水の場合でも溜め流し排水のいずれにも適用可能であって、サイフォン力が順次、しかも早期に発生することとなり、その利用価値は高い。
【図面の簡単な説明】
【００２０】
【図１】図１はサイフォン排水システムの概念図である。
【図２】図２は本発明を用いたサイフォン排水システム図である。
【図３】図３は本発明を用いたサイフォン排水システムの別例を示す図である。
【符号の説明】
【００２１】
１‥排水立管、
２、２ａ、２ｂ‥水周り器具、
３、３ａ、３ｂ‥器具排水管、
３ａ０ 、３ｂ０ ‥器具排水管の管先端、
４‥合流部継手、
５‥床スラブ、
６‥伸張通気管、
７‥トラップ、
７ａ‥トラップに接続した短管。
【図１】
2006214203.tif 000003
【図２】
2006214203.tif 000004
【図３】
2006214203.tif 000005